(57)【要約】【課題】小型化が図り易く、ソケットへの挿着性も良い片口金ランプ及びランプユニットを提供する。【解決手段】ランプ本体の端部に取着された口金基部、当該口金基部から突出する軸部、および当該軸部周部に露出形成された一対の端子ピンを有する口金を、前記口金基部を受け止める基部受止面と前記軸部及び端子ピンを受け入れる挿着孔とを有したソケットに挿入し、前記口金基部を前記基部受止面に当接させた状態で回転させることによって、前記端子ピンと前記挿入孔に内設された接触子とを接触させて、前記ソケットに挿着する構造の片口金ランプにおいて、前記端子ピンの軸部突出方向側の端縁が前記軸部の軸部突出方向側の端縁よりも前記口金基部側に位置し、且つ、前記端子ピンの先端がＲ形状である又は面取りされている構成とする。【選択図】図１
2011100688.tif 000002
【特許請求の範囲】
【請求項１】
ランプ本体の端部に取着された口金基部、当該口金基部から突出する軸部、および当該軸部周部に露出形成された一対の端子ピンを有する口金を、前記口金基部を受け止める基部受止面と前記軸部及び端子ピンを受け入れる挿着孔とを有したソケットに挿入し、前記口金基部を前記基部受止面に当接させた状態で回転させることによって、前記端子ピンと前記挿入孔に内設された接触子とを接触させて、前記ソケットに挿着する構造の片口金ランプであって、
前記端子ピンの軸部突出方向側の端縁が前記軸部の軸部突出方向側の端縁よりも前記口金基部側に位置し、且つ、前記端子ピンの先端がＲ形状である又は面取りされていることを特徴とする片口金ランプ。
【請求項２】
前記端子ピンの軸部突出方向側の端縁が、前記軸部の軸部突出方向側の端縁よりも０．３〜５．０［ｍｍ］前記口金基部側に位置することを特徴とする請求項１記載の片口金ランプ。
【請求項３】
前記軸部は、前記端子ピンの軸部突出方向側の端縁よりも軸部突出方向側に突出する部分が電気的絶縁性を有することを特徴とする請求項１又は２に記載の片口金ランプ。
【請求項４】
前記端子ピンは、前記先端以外にもＲ形状である又は面取りされている部分を有することを特徴とする請求項１から３のいずれかに記載の片口金ランプ。
【請求項５】
前記口金基部は略円盤形状であって、
前記軸部は前記口金基部よりも小径、かつ当該口金基部から軸部突出方向に向かって突出することを特徴とする請求項１から４のいずれかに記載の片口金ランプ。
【請求項６】
さらに、光源部と、当該光源部を覆う有底筒状の外管とを備え、
前記口金基部には前記外管の開口側端部を取り付けるための外管取付面が前記軸部とは反対側に形成されていることを特徴とする請求項１から５のいずれかに記載の片口金ランプ。
【請求項７】
ランプ本体の端部に取着された口金基部と、当該口金基部から突出する軸部と、当該軸部周部に露出形成された一対の端子ピンとを有する口金を備えた片口金ランプと、
前記口金基部を受け止める基部受止面と、前記軸部及び端子ピンを受け入れる挿着孔と、内部に接触子が設けられた係合溝とを有したソケットとで構成され、
前記口金を前記ソケットに挿入し、前記口金基部を前記基部受止面に当接させた状態で前記片口金ランプを回転させることによって、前記端子ピンを前記係合溝に押入させ前記接触子と接触させて、前記片口金ランプを前記ソケットに挿着する構造のランプユニットであって、
前記端子ピンの軸部突出方向側の端縁が前記軸部の軸部突出方向側の端縁よりも前記口金基部側に位置し、且つ、前記端子ピンの先端がＲ形状である又は面取りされていることを特徴とするランプユニット。
【請求項８】
前記係合溝における前記端子ピンが押入される入口付近では、前記係合溝における前記基部受止面と直交する方向の幅が前記入口に近づくほど前記基部受止面側に広くなっていることを特徴とする請求項７に記載のランプユニット。
【請求項９】
前記係合溝の前記基部受止面側の面は、前記端子ピンが押入される方向に向けて前記基部受止面との距離が離れるように傾斜していることを特徴とする請求項７又は８に記載のランプユニット。
【請求項１０】
前記挿着孔における前記端子ピンを受け入れる部分は、前記口金の回転に伴う前記端子ピンの回転方向に沿って前記端子ピンよりも幅が広くなっていることを特徴とする請求項７から９のいずれかに記載のランプユニット。
【請求項１１】
前記接触子は、当該接触子の弾性により変位する凸部を有し、前記凸部の変位により前記端子ピンと前記接触子とが係合自在であることを特徴とする請求項７から１０のいずれかに記載のランプユニット。
【請求項１２】
前記端子ピンが弾性を有し、前記基部受止面と前記係合溝における前記基部受止面側の面との距離Ｈと、前記口金基部と前記端子ピンとの間の距離Ｉとが、０．９≦Ｉ／Ｈ＜１．０、の関係を満たすことを特徴とする請求項７から１１のいずれかに記載のランプユニット。
【請求項１３】
前記係合溝における前記基部受止面側の面には前記端子ピンと嵌合する嵌合凹部が形成されていることを特徴とする請求項１２に記載のランプユニット。
【発明の詳細な説明】
【技術分野】
【０００１】
本発明は、片口金ランプ及びランプユニットに関し、特に、挿入回転式の片口金ランプにおける口金とソケットとの挿着構造に関する。
【背景技術】
【０００２】
従来から、図２３（ａ）に示すような、エジソンタイプの口金を備えた片口金ランプ９１０が知られている。当該片口金ランプ９１０は、口金９１１の先端をソケット９１２の挿着孔９１３に挿入し、さらにねじ込んでソケット９１２に挿着される。しかしながら、このような片口金ランプ９１０は、口金９１１に螺旋溝が必要となるため、口金９１１における挿着孔９１３内に納まる部分のランプ軸Ｘ方向の寸法Ｌ１が長くなってしまって、片口金ランプ９１０やこれを用いたランプユニットの小型化には不向きである。
【０００３】
一方、特許文献１には、図２３（ｂ）に示すような、スワンタイプの口金を備えた片口金ランプ９２０が開示されている。当該片口金ランプ９２０は、口金９２１に一対の２段ピン９２２を有し、それら２段ピン９２２をソケット９２３の一対のピン孔９２４に挿入し、さらに片口金ランプ９２０をランプ軸Ｘを中心に回転させることによって一対の２段ピン９２２を一対のピン孔９２４に延設されたスリット９２５に沿ってスライド移動させて、ソケット９２３に挿着される。このような片口金ランプ９２０の場合は、口金９２１に螺旋溝が必要ないため、口金９２１におけるピン孔９２４内に納まる部分のランプ軸Ｘ方向の寸法Ｌ２が長くならず、片口金ランプ９２０及びランプユニットの小型化が図り易い。
【０００４】
また、特許文献２には、図２３（ｃ）に示すような片口金ランプ９３０が開示されている。当該片口金ランプ９３０の口金９３１は、ランプ軸Ｘに沿って突出する軸部９３２を有し、当該軸部９３２の周部にはランプ軸Ｘと直交する方向に突出する一対の突起部９３３が設けられており、それら突起部９３３の先端が接続端子９３４となっている。このような片口金ランプ９３０の場合は、ソケット９３５の挿着孔９３６に軸部９３２及び一対の突起部９３３を挿入し、さらに片口金ランプ９３０をランプ軸Ｘを中心に回転させることによって突起部９３３をソケット９３５内で回転させて、ソケット９３５に挿着される。特許文献２の片口金ランプ９３０の場合も、口金９３１に螺旋溝を形成する必要がないため、口金９３１における挿着孔９３６内に納まる部分のランプ軸Ｘ方向の寸法Ｌ３が長くならず、片口金ランプ９３０及びランプユニットの小型化が図り易い。
【先行技術文献】
【特許文献】
【０００５】
【特許文献１】特表２００７−５０４６２７号公報
【特許文献２】特開平４−２３０９５２号公報
【発明の概要】
【発明が解決しようとする課題】
【０００６】
しかしながら、エジソンタイプの口金を備えた片口金ランプ９１０がランプ軸Ｘを中心軸とするどの回転角度の姿勢であっても挿着孔９１３に口金９１１を挿入できるのに対し、特許文献１の片口金ランプ９２０の場合は、ランプ軸Ｘとソケット軸Ｙとを一致させ、且つ、片口金ランプ９２０を適正な回転角度にしなければ、一対の２段ピン９２２と一対のピン孔９２４とを同時に一致させることはできず、エジソンタイプの口金を備えた片口金ランプ９１０よりもソケット９２３への挿着性が悪い。
【０００７】
特許文献２の片口金ランプ９３０の場合も同様で、軸部９３２及び一対の突起部９３３の両方を挿着孔９３６に挿入するためには、ランプ軸Ｘとソケット軸Ｙとを一致させ、且つ、片口金ランプ９３０を適正な回転角度にしなければならない。さらに、特許文献２の片口金ランプ９３０の場合は接続端子９３４の先端が角張っているため、接続端子９３４とソケット９３５内に配置された接触子などの部材との接触抵抗が大きく、片口金ランプ９３０がスムーズに回転しないことも挿着性を悪くしている。
【０００８】
このように挿着性が悪いため、高所作業を強いられる機会の多い片口金ランプの挿着作業において作業性が悪化する原因となっている。
本発明は、上記の課題に鑑み、小型化が図り易く、ソケットへの挿着性も良い片口金ランプ及びランプユニットを提供することを目的とする。
【課題を解決するための手段】
【０００９】
上記目的を達成するため、本発明に係る片口金ランプは、ランプ本体の端部に取着された口金基部、当該口金基部から突出する軸部、および当該軸部周部に露出形成された一対の端子ピンを有する口金を、前記口金基部を受け止める基部受止面と前記軸部及び端子ピンを受け入れる挿着孔とを有したソケットに挿入し、前記口金基部を前記基部受止面に当接させた状態で回転させることによって、前記端子ピンと前記挿入孔に内設された接触子とを接触させて、前記ソケットに挿着する構造の片口金ランプであって、前記端子ピンの軸部突出方向側の端縁が前記軸部の軸部突出方向側の端縁よりも前記口金基部側に位置し、且つ、前記端子ピンの先端がＲ形状である又は面取りされていることを特徴とする。
【００１０】
本発明に係るランプユニットは、ランプ本体の端部に取着された口金基部と、当該口金基部から突出する軸部と、当該軸部周部に露出形成された一対の端子ピンとを有する口金を備えた片口金ランプと、前記口金基部を受け止める基部受止面と、前記軸部及び端子ピンを受け入れる挿着孔と、内部に接触子が設けられた係合溝とを有したソケットとで構成され、前記口金を前記ソケットに挿入し、前記口金基部を前記基部受止面に当接させた状態で前記片口金ランプを回転させることによって、前記端子ピンを前記係合溝に押入させ前記接触子と接触させて、前記片口金ランプを前記ソケットに挿着する構造のランプユニットであって、前記端子ピンの軸部突出方向側の端縁が前記軸部の軸部突出方向側の端縁よりも前記口金基部側に位置し、且つ、前記端子ピンの先端がＲ形状である又は面取りされていることを特徴とする。
【発明の効果】
【００１１】
本発明に係る片口金ランプ及びランプユニットは、一対の端子ピンの軸部突出方向側の端縁が軸部の軸部突出方向側の端縁よりも前記口金基部側に位置するため、軸部における端子ピンよりも軸部突出方向側に突出する部分を挿着孔の開口周縁に引っ掛けることができ、これにより軸部を挿着孔に対して適正な位置に位置決めし易いため、ランプ軸とソケット軸とを一致させるのが容易である。このように、軸部における端子ピンよりも軸部突出方向側に突出する部分が挿着孔に嵌ればランプ軸が固定されるため、あとは片口金ランプをランプ軸を中心として回転させるだけで軸部及び一対の端子ピンの両方を挿着孔に挿入することができ、ソケットへの挿着性が良い。しかも、一対の端子ピンの先端がＲ形状である又は面取りされているため、端子ピンの先端とソケット内に配置された接触子などの部材との接触抵抗を小さく抑えることができ、片口金ランプをスムーズに回転させることができるため、さらに挿着性が良い。
【図面の簡単な説明】
【００１２】
【図１】本実施の形態に係るランプユニットを示す一部破断斜視図
【図２】本実施の形態に係るランプユニットの使用形態の一例を示す図
【図３】本実施の形態に係る口金を示す図
【図４】本実施の形態に係る口金を示す図
【図５】長さＡの好適範囲を検討した結果を示す図
【図６】本実施の形態に係る端子ピンを示す図
【図７】本実施の形態に係るソケットを示す図
【図８】本実施の形態に係るソケットを示す図
【図９】端子ピンと接触子との係合形態を説明するための図
【図１０】変形例に係る軸部及び端子ピンを示す図
【図１１】変形例に係る軸部及び端子ピンを示す図
【図１２】変形例に係る軸部及び端子ピンを示す図
【図１３】変形例に係る軸部及び端子ピンを示す図
【図１４】変形例に係る軸部及び端子ピンを示す図
【図１５】変形例に係る軸部及び端子ピンを示す図
【図１６】変形例に係る軸部及び端子ピンを示す図
【図１７】変形例に係る軸部及び端子ピンを示す図
【図１８】変形例に係る軸部及び端子ピンを示す図
【図１９】変形例に係る軸部及び端子ピンを示す図
【図２０】変形例１に係る口金を示す図
【図２１】変形例１に係る端子ピンを示す図
【図２２】変形例２に係る端子ピンを示す図
【図２３】従来の片口金ランプを説明するための図
【発明を実施するための形態】
【００１３】
以下、本実施の形態に係る片口金ランプ及びランプユニットについて、図面を参照しながら説明する。なお、各図面における部材の縮尺は実際のものとは異なる。また、本発明において、数値範囲を示す符号「〜」は、その両端の数値を含む。
＜ランプユニット＞
図１は、本実施の形態に係るランプユニットを示す一部破断斜視図である。図２は、本実施の形態に係るランプユニットの使用形態の一例を示す図である。図１に示すように、本実施の形態に係るランプユニット１は、本実施の形態に係る片口金ランプ１０及びソケット２０を備え、図２に示すように、例えば照明器具３０に取り付けてダウンライト、ウォールライト、スポットライトなどの用途で使用される。なお、ランプユニット１は、必ずしも照明器具３０に取り付けて使用する必要はなく、また、上記以外の用途で使用しても良い。
【００１４】
＜片口金ランプ＞
図１に戻って、片口金ランプ１０は、３重管構造のメタルハライドランプであって、光源部としての発光管１００、当該発光管１００を収納する気密容器である内管２００、及び、当該内管２００に被せられた保護容器である外管３００で構成されるランプ本体１１と、当該ランプ本体１１の端部に取着され、前記内管２００及び前記外管３００を支持する口金４００とを備える。当該片口金ランプ１０は、ランプ軸Ｘをソケット２０のソケット軸Ｙと一致させた状態で、口金４００の一部を前記ソケット２０の後述する挿着孔５０２に挿入し（以下、この操作を「挿入操作」と称する）、前記ランプ軸Ｘを中心に前記片口金ランプ１０を回転させることで（以下、この操作を「回転操作」と称する）、前記ソケット２０に挿着される。
【００１５】
発光管１００は、本管部１０１と、当該本管部１０１の管軸方向両側に延設された一対の細管部１０２，１０３とからなる外囲器１０４を備える。外囲器１０４は、例えばアルミナセラミックなどの透光性セラミックなどで形成されており、本管部１０１の内部が気密封止された放電空間となっており、当該放電空間に金属ハロゲン化物、希ガス、及び、水銀がそれぞれ所定量封入されている。なお、本管部１０１の管軸はランプ軸Ｘと一致する。
【００１６】
また、発光管１００は、互いの先端部が放電空間内で対向するように配置された一対の電極（不図示）と、当該電極の先端部とは反対側の端部に接合された一対の給電体１０５，１０６とを備え、前記給電体１０５，１０６は、外囲器１０４の細管部１０２，１０３に封着されている。そして、給電体１０５，１０６は、電力供給線１０７，１０８及び金属箔１０９，１１０を介して、例えばモリブデン、鉄、銅，ニッケルなどからなる外部リード線１１１，１１２と電気的に接続されている。
【００１７】
なお、一方の電力供給線１０７は、他方の電力供給線１０８及び当該電力供給線１０８に接続された給電体１０６と対向する部分が、例えば石英ガラスなどからなるスリーブ１１３で被覆されている。このような構成とすれば、ランプ寿命末期に発光管１００でリークが生じたとしても、反対極性となる部材間で生じる放電を防止することができる。
内管２００は、例えば石英ガラスなどからなる片封止型の気密容器であり、その一端部側にピンチシール法によって圧潰封止された封止部２０１を有し、当該封止部２０１に金属箔１０９，１１０が封止されている。一方、内管２００の封止部２０１とは反対側には、前記内管２００内を真空引きする際に用いた排気管の残部であるチップオフ部２０２が存在している。このように内管２００内を真空引きすることによって、給電体１０５，１０６や電力供給線１０７，１０８などの金属部材が高温にさらされ酸化するのを防止することができる。なお、酸化防止の観点から、内管２００内を真空にする代わりに前記内管２００内に不活性ガスを充満しても構わない。
【００１８】
外管３００は、例えば硬質ガラス、透明樹脂、軟質ガラス、石英ガラスなどからなり、一端部に開口を有し他端部が閉塞された有底筒状であって、発光管１００や内管２００が損傷した場合にその破損により生じた破片が前記外管３００の外部へ飛散するのを防止する。
＜口金＞
図３は、口金を示す図であって、（ａ）は斜視図、（ｂ）は側面図である。図４も口金を示す図であって、（ａ）は底面図、（ｂ）は縦断面図である。図３に示すように、口金４００は、略円盤形状の口金基部４１０、当該口金基部４１０に設けられた略半円柱形状の一対の支持体４２０，４３０、及び、前記口金基部４１０の前記支持体４２０，４３０とは反対側に同心状に設けられた略円柱形状の軸部４４０からなる口金本体４０１と、前記軸部４４０の周部（周面）４４１に露出形成された一対の端子ピン４５０，４６０を備える。なお、図３（ｂ）に示すように、軸部４４０の軸心はランプ軸Ｘと一致する。
【００１９】
口金本体４０１は、例えば、アルミナのような絶縁材料により一体成形されている。このように口金本体４０１を絶縁材料により形成することで、端子ピン４５０，４６０間の電気的絶縁性が確保される。本発明の口金として使用することができる絶縁材料の例には、ステアタイト、ムライト、窒化アルミ、シリコンカーバイト、樹脂が含まれるが、特に限定されるものではない。
【００２０】
また、口金本体４０１を一体成形することで口金４００の強度が向上し、挿入操作や回転操作で前記口金４００が破損し難くなる。なお、口金本体４０１は、必ずしも絶縁材料によって形成されている必要はなく、端子ピン４５０，４６０間の電気的絶縁性が確保できれば金属などの導電材料で形成されていても良い。また、口金基部４１０、支持体４２０，４３０、及び、軸部４４０のうちの一部だけが絶縁材料で形成されていても良い。さらに、口金本体４０１は、必ずしも一体成形されている必要はなく、口金基部４１０、支持体４２０，４３０、及び、軸部４４０のうちの一部又は全部が別部材で構成されていても良い。
【００２１】
口金基部４１０は、軸部４４０が突出している面がソケット２０への対向面４１１となっており、口金４００をソケット２０に挿着した状態において、前記対向面４１１は前記ソケット２０の後述する基部受止面２１と対向する。対向面４１１とソケット２０の基部受止面２１とを合わせれば、片口金ランプ１０の姿勢が安定し、ランプ軸Ｘは前記基部受止面２１に対して垂直になる。
【００２２】
口金基部４１０が略円盤形状であって、軸部４４０が前記口金基部４１０よりも小径且つ当該口金基部４１０から軸部突出方向側に向かって同心状に突出することから、対向面４１１は、前記軸部４４０よりも径の大きい略円形であり、且つ、前記対向面４１１の略中央に前記軸部４４０が位置する。したがって、対向面４１１は、軸部４４０の基端側外周縁をその全周に亘って取り囲む円環状の領域を有しており、この領域をソケット２０の基部受止面２１に当接させることで回転操作性が向上する。また、対向面４１１によって、ランプ挿着後の片口金ランプ１０のランプ軸Ｘがいずれの方向にも傾き難くなるため、前記ランプ軸Ｘの安定化を図ることができる。なお、対向面４１１は、必ずしも軸部４４０の基端側外周縁をその全周に亘って取り囲む円環状の領域を有する必要はなく、例えば、前記円環状の領域の代わりに、ランプ軸Ｘを中心とする点対称の位置に複数の領域を有する構成でも良い。
【００２３】
口金基部４１０は、対向面４１１側が面取りされており、略円環形状のテーパ面４１２を有する。テーパ面４１２が形成されているため、口金基部４１０における対向面４１１側の形状は前記対向面４１１に近づくほど径が小さくなる略円錐台形状であり、ソケット２０に片口金ランプ１０を挿入し易くなっている。なお、口金基部４１０における対向面４１１側の形状は、略円錐台形状に限定されず、例えば回転放物面体形状や円柱形状でも良い。
【００２４】
図１に示すように、口金基部４１０は、支持体４２０，４３０が突出している側の面が外管取付面４１３になっており、当該外管取付面４１３に外管３００の開口側端部３０１が接着剤（不図示）により固着されている。このような外管取付面４１３を有する口金基部４１０が存在しているため、外管３００を容易且つ安定に位置決めすることができる。なお、接着剤としては、例えばシリカ及びアルミナを主成分とする無機接着剤が挙げられ、１０００℃の耐熱温度を有するものが好ましい。
【００２５】
図３及び図４に戻って、口金基部４１０には、対向面４１１側から外管取付面４１３側へと貫通する断面が略方形の貫通孔４１４が形成されており、外管３００を口金４００に固着した状態において、前記外管３００の内側と外側とが前記貫通孔４１４介して連通するようになっている。貫通孔４１４は、軸部４４０が存在する部分では貫通しておらず、軸部４４０を挟んだ２箇所４１４ａ、４１４ｂにおいて貫通している。このような貫通孔４１４を形成することによって、発光管１００が破損するなどして生じる爆圧を前記貫通孔４１４から逃すことができる。さらに、ソケット２０との組み合わせにおいて、片口金ランプ１０取り付け後に貫通孔４１４と連通しうる貫通孔を、前記貫通孔４１４が位置するソケット基部受止面２１に設けてもよい。これにより、前述する爆圧をより確実に逃すことができる。
【００２６】
支持体４２０，４３０は、外管取付面４１３から延出する断面が略半円形状の小径柱部４２１，４３１と、当該小径柱部４２１，４３１の延出方向端部から延出する断面が前記小径柱部４２１，４３１よりも径の大きい略半円形状の大径柱部４２２，４３２とからなる柱状である。また、支持体４２０，４３０は、平坦な側面４２３，４３３を有し、当該側面４２３，４３３が平行且つ対向する状態で配置されている。大径柱部４２２，４３２の延出方向端部はＣ０．２〜０．５の面取り処理が施されており、円弧形状のテーパ面４２４，４３４を有する。
【００２７】
支持体４２０，４３０の側面４２３，４３３間には、内管２００の封止部２０１が嵌め込まれ、前記支持体４２０，４３０と前記封止部２０１とが接着剤（不図示）により固着されている。なお、接着剤としては、例えばシリカおよびアルミナを主成分とする無機接着剤が挙げられ、１０００℃の耐熱温度を有するものが好ましい。
軸部４４０は、周部４４１に断面が長方形の一対のピン孔４４２，４４３が形成されており、前記ピン孔４４２，４４３に端子ピン４５０，４６０の一端部が挿入されている。
【００２８】
図３（ｂ）に示すように、端子ピン４５０，４６０の軸部突出方向側の端縁（端子ピン４５０，４６０の軸部突出方向側の面４５７，４６７）は、軸部４４０の軸部突出方向側の端縁（軸部４４０の先端面４４６）よりも２．０［ｍｍ］口金基部４１０側に位置する。軸部４４０は、端子ピン４５０，４６０の軸部突出方向側の端縁よりも軸部突出方向側に突出する部分４４４（以下、「突出部分４４４」）の長さＡが、１．０［ｍｍ］である。このように、突出部分４４４が端子ピン４５０，４６０の軸部突出方向側の端縁よりも軸部突出方向側に突出しているため、挿入操作時に突出部分４４４をソケット２０の挿着孔５０２に引っ掛けて片口金ランプ１０のランプ軸Ｘと前記ソケット２０のソケット軸Ｙとを容易に一致させることができる。
【００２９】
なお、長さＡは、突出部分４４４の挿着孔５０２への引っ掛かりを良くするために０．３［ｍｍ］以上であることが好ましく、また、片口金ランプ１０の小型化への影響を考慮し、前記長さＡは５．０［ｍｍ］以下であることが好ましい。すなわち、片口金ランプ１０の小型化を実現できる範囲で回転操作性をより向上させるという観点からは、長さＡが０．３〜５．０［ｍｍ］の範囲とすることが好ましい。
【００３０】
図５は、長さＡの好適範囲を検討した結果を示す図である。図５に示すとおり、片口金ランプ１０のランプ軸Ｘとソケット２０のソケット軸Ｙとの合致性は、長さＡが０．２[ｍｍ]以上でやや良好、０．３[ｍｍ]以上で良好であった。また、回転操作において片口金ランプ１０が軸ぶれするか否かの軸回転性は、長さＡが０．３[ｍｍ]以上でやや良好、０．５[ｍｍ]以上で良好であった。さらに、軸部４４０の突出部分４４４のソケット２０への収納性は、長さＡが５．０[ｍｍ]以下であれば良好、６．０[ｍｍ]の場合はやや良好であった。そして、以上を総合評価したところ、長さＡが−１〜０．２［ｍｍ］の場合は商品として問題ないレベル「△」であり、０．３〜５．０［ｍｍ］の場合は非常に良好「◎」であり、６．０［ｍｍ］の場合は良好「○」であった。評価した範囲には商品として問題のあるレベル「×」のものはなかった。なお、長さＡが−１［ｍｍ］とは、端子ピン４５０，４６０が軸部４４０よりも１．０［ｍｍ］軸部突出方向側に突出していることを意味する。
【００３１】
なお、軸部４４０の突出部分４４４は、ソケット２０の挿着孔５０２に挿入し易くするために面取りされており、円環形状のテーパ面４４５を有する。
端子ピン４５０，４６０間に電気的絶縁性を有する突出部分４４４が存在することによって、前記端子ピン４５０，４６０間の最短沿面距離（絶縁距離）は長くなる。したがって、その分だけ端子ピン４５０，４６０同士をより近くに配置することができる。この構成は、端子ピン４５０，４６０が近づき過ぎないように注意を払う必要がある小型の片口金ランプ１０において有効であり、特に、始動時にパルスを印加するタイプの放電ランプにて有効となる。
【００３２】
具体的には、端子ピン４５０，４６０間の最短沿面距離が４．０［ｍｍ］以上であれば３［ｋＶ］以上のパルス始動式の高輝度放電灯に使用できる。また、片口金ランプ１０の小型化を目的とした場合、ランプ最大外径の関係から、端子ピン４５０，４６０間の最短沿面距離は２０［ｍｍ］以下であることが好ましい。
さらに、軸部４４０には、端子ピン４５０，４６０間の最短沿面距離をより長くするために、前記軸部４４０の先端面４４６に略円柱形状の凹部４４７が設けられている。当該凹部４４７の底面は端子ピン４５０，４６０よりも口金基部４１０側に位置している。すなわち、図４（ｂ）に示すように、端子ピン４５０，４６０間に凹部４４７が位置している。なお、凹部４４７は、片口金ランプ１０の製造時などにおいて、口金４００の位置決め用の穴としても利用できる。また、ソケット２０における凹部４４７に対応する位置に凸部（不図示）を設け、突出部分４４４を挿着孔５０２に挿入すると前記凹部４４７と前記凸部とが嵌合する構成とすれば、回転操作時に軸部４４０がぶれ難くなり回転操作性が向上するとともに、最短沿面距離の確保をより確かなものにできる。
【００３３】
軸部４４０には、当該軸部４４０を貫通する一対のリード孔４４８，４４９がランプ軸Ｘと平行して形成されている。リード孔４４８，４４９は、貫通孔４１４と連通しており、支持体４２０，４３０間に内管２００の封止部２０１を配置した状態において、前記リード孔４４８，４４９には外部リード線１１１，１１２が挿入される。
また、リード孔４４８，４４９は、ピン孔４４２，４４３とも連通しており、前記ピン孔４４２，４４３に端子ピン４５０，４６０を挿入し、前記リード孔４４８，４４９に外部リード線１１１，１１２を挿入すると、前記端子ピン４５０，４６０と前記外部リード線１１１，１１２とが電気的に接続される。なお、電気的絶縁性を有する軸部４４０のリード孔４４８，４４９に外部リード線１１１，１１２を挿入する構成であるため、前記外部リード線１１１，１１２はソケット２０に対して電気的絶縁性が高い。
【００３４】
＜端子ピン＞
図６は、端子ピンを示す図であって、（ａ）は斜視図、（ｂ）は平面図、（ｃ）は側面図である。図６に示すように、両端子ピン４５０，４６０は同一の部材であって、略直方体形状の外観を有し、長手方向の長さＢが５．０［ｍｍ］、短手方向の長さＣが３．０［ｍｍ］、厚みＤが１．５［ｍｍ］、両端子ピン４５０，４６０が端子孔に挿入される深さは、３．０［ｍｍ］である。なお、端子ピン４５０，４６０の寸法は上記に限定されないが、長さＢは２〜１０［ｍｍ］、長さＣは１〜５［ｍｍ］、厚みＤは０．５〜４［ｍｍ］、端子孔に挿入される深さは１〜６［ｍｍ］であることが好ましい。このように、０．５[ｍｍ]以上の厚みＤがあれば、ランプ軸Ｘ方向への引っ張り力に負けない強度を確保する上で有効である。また、端子ピン４５０，４６０には、回転操作時に回転方向の応力がかかるため、当該応力に負けない強度を必要とするが、長さＣを少なくとも１ｍｍ以上とすれば、回転操作時においても強度が確保される。
【００３５】
図３（ｂ）に示すように、端子ピン４５０，４６０は、軸部４４０の周部４４１に露出形成されている。具体的には、先端４５１，４６１が周部４４１から突出した状態となるように、端子ピン４５０，４６０をピン孔４４２，４４３に挿入することで周部４４１に突設されている。
端子ピン４５０，４６０は、軸部４４０のリード孔４４８，４４９に挿入された外部リード線１１１，１１２と電気的に接続されており、ランプ挿着時にソケット２０の接触子５８０，５９０と電気的に接続されて発光管１００に電流を供給する。端子ピン４５０，４６０は、導電性及び弾性を有するバネ鋼、リン青銅などの材料で形成されている。
【００３６】
なお、端子ピン４５０，４６０に導電性は不可欠である。上記以外の端子ピン４５０，４６０の形成に適した導電性材料としては、例えば真鍮、鉄、銅などが挙げられる。また、端子ピン４５０，４６０は、ニッケルメッキなどにより表面に導電性を付与した部材であっても良い。
一方、端子ピン４５０，４６０に弾性は必ずしも必要でない。端子ピン４５０，４６０に弾性を付与する方法としては、弾性を有する材料で前記端子ピン４５０，４６０を形成する以外に、前記端子ピン４５０，４６０を板ばね形状にするなど形状により弾性を付与しても良い。
【００３７】
図６に戻って、端子ピン４５０，４６０は、軸部４４０に挿入された状態において先端４５１，４６１となる長手方向一端部がＲ形状であり、前記先端４５１，４６１の端縁は、図６（ｂ）に示すように、平面視において円弧形状であり、図６（ｃ）に示すように、側面視において直線形状である。このように先端４５１，４６１をＲ形状とすることで、Ｒがない場合と比して、回転操作時における端子ピン４５０，４６０とソケット２０の後述する接触子５８０，５９０との接触抵抗が低減する。
【００３８】
なお、端子ピン４５０，４６０の先端４５１，４６１は、その全体がＲ形状であることが好ましいが、一部のみがＲ形状であっても良い。また、Ｒ形状の曲率半径は０．４以上であることが好ましく、０．８以上であることがより好ましい。加えて、Ｒ形状の曲率半径はソケット２０の後述する筒状部５１０の内周面の曲率半径以下であることが好ましい。さらに、先端４５１，４６１の全体又は一部が面取りされている場合もＲ形状と同様の効果が得られる。
【００３９】
端子ピン４５０，４６０は、先端４５１，４６１以外にもＲ形状である又は面取りされている部分を有する。具体的には、端子ピン４５０，４６０は、軸部４４０に挿入された状態において対向面４１１と対向する面４５２，４６２側も面取りされており、略Ｕ字形状のテーパ面４５３，４６３を有する。この構成により、ソケット２０の後述するピン係止面５２２，５３２との接触面積が小さくなり、前記ピン係止面５２２，５３２との接触抵抗が低減するため、回転操作性が向上する。
【００４０】
なお、テーパ面４５３，４６３は、端子ピン４５０，４６０における対向面４１１側の少なくとも一部に形成されていれば良い。さらに、端子ピン４５０，４６０における対向面４１１側がＲ形状であっても面取りと同様の効果が得られる。この場合、Ｒ形状の曲率半径は０．２以上であることが好ましく、０．５以上であることがより好ましい。
端子ピン４５０，４６０は、先端４５１，４６１とは長手方向反対側の基端４５４，４６４にも面取りされたテーパ面４５５，４６５を有し、軸部４４０に前記端子ピン４５０，４６０を挿入し易くなっている。
【００４１】
端子ピン４５０，４６０に関して、Ｒ形状とされる又は面取りされる部分は、端子ピン４５０，４６０の先端４５１，４６１、及び、前記端子ピン４５０，４６０における対向面４１１側に限定されない。例えば、端子ピン４５０，４６０における軸部突出方向側がＲ形状とされ又は面取りされている構成であっても良い。
また、図６（ｂ）に示すように、端子ピン４５０，４６０の基端４５４，４６４側には、外部リード線１１１，１１２を嵌め込むためのスリット４５６，４６６が形成されている。スリット４５６，４６６の幅Ｅは、０．５［ｍｍ］であって、直径が０．７［ｍｍ］が外部リード線１１１，１１２の径よりも僅かに狭くなっており、前記外部リード線１１１，１１２をリード孔４４８，４４９に挿入した状態で端子ピン４５０，４６０をピン孔４４２，４４３に挿入すれば、前記外部リード線１１１，１１２が前記スリット４５６，４６６内に嵌り込んで、前記端子ピン４５０，４６０と外部リード線１１１，１１２とが電気的に接続される。
【００４２】
なお、端子ピン４５０，４６０と外部リード線１１１，１１２とは、かしめや溶接により接続されていても良い。さらに、端子ピン４５０，４６０は、ピン孔４４２，４４３から抜けないような固定機構が採用されていてもよい。当該固定機構の例には、セメントなどを用いた固着、スプリングなどを用いた弾性力の利用、爪などを用いた係合構造、かしめ・ハトメ部材のような固定部材の利用が含まれるが、端子ピン４５０，４６０をピン孔４４２，４４３に固定することができる機構であれば、特に限定されるものではない。
【００４３】
図３（ｂ）に示すように、端子ピン４５０，４６０の先端４５１，４６１間の最大距離Ｆは、口金基部４１０の外径Ｇ、及び、外管３００の開口側端部３０１の外径よりも小さい。この構成により、照明器具３０に片口金ランプ１０を挿着する際に、端子ピン４５０，４６０が邪魔にならないようになっている。
＜ソケット＞
図７は、ソケットを示す図であって、（ａ）は基部受止面側から見た斜視図、（ｂ）は基部受止面とは反対側からみた斜視図である。図７に示すように、ソケット２０は、内部に口金４００が挿入される筒状部５１０と、当該筒状部５１０の内周面５１１に延設された一対のピン係止壁５２０，５３０及び一対の軸部支持壁５４０，５５０と、前記筒状部５１０の外周面５１２に延設された一対のネジ取付部５６０，５７０とからなるソケット本体５０１を備える。さらに、ソケット本体５０１の内部に設けられた一対の接触子５８０，５９０を備える。なお、筒状部５１０の筒軸がソケット２０のソケット軸Ｙとなる。
【００４４】
ソケット本体５０１は、例えばアルミナなどの絶縁材料により一体成形されている。このようにソケット本体５０１を絶縁材料により形成することで、接触子５８０，５９０間の電気的絶縁性を確保できる。また、このようにソケット本体５０１を一体成形することでソケット２０の強度が向上する。なお、ソケット本体５０１は、必ずしもすべてが絶縁材料によって形成されている必要はなく、接触子５８０，５９０間の電気的絶縁性を確保でき、且つ、ランプ挿着時に端子ピン４５０，４６０間の電気的絶縁性を確保できれば金属などの導電材料で一部が形成されていても良い。また、筒状部５１０、ピン係止壁５２０，５３０、軸部支持壁５４０，５５０、及び、ネジ取付部５６０，５７０のうちの一部だけが絶縁材料で形成されていても良い。
【００４５】
また、ソケット本体５０１は、必ずしも一体成形されている必要はなく、筒状部５１０、ピン係止壁５２０，５３０、軸部支持壁５４０，５５０、及び、ネジ取付部５６０，５７０のうちの一部または全部が別部材であっても良い。さらに、筒状部５１０及びネジ取付部５６０，５７０は必ずしも必要はなく、少なくともピン係止壁５２０，５３０、軸部支持壁５４０，５５０を有すれば良い。
【００４６】
筒状部５１０は、口金４００が挿入される側の端部５１３の内側にテーパ面５１４を有し、前記筒状部５１０に前記口金４００を挿入し易いようになっている。内部に口金４００を挿入した状態において、前記口金４００が挿入された開口側の端部５１３からピン係止壁５２０，５３０までの部分に前記口金４００の口金基部４１０が収容され、前記口金４００が挿入された開口側とは反対側の端部５１５からピン係止壁５２０，５３０までの部分に前記口金４００の軸部４４０の突出部分４４４及び端子ピン４５０，４６０が収容される。
【００４７】
筒状部５１０における軸部４４０の突出部分４４４及び端子ピン４５０，４６０が収容される部分はソケット２０の絶縁壁としての役割を担う。一方、筒状部５１０の口金基部４１０が収容される部分は必ずしも必要なく、前記筒状部５１０の端部５１３の端面とピン係止壁５２０，５３０の後述する口金当接面５２１，５３１とが面一であっても構わない。また、逆に、筒状部５１０の口金基部４１０が収容される部分がより発光管１００側に向けて延長されており、その部分に外管３００の一部までもが収容される構成であっても良く、ソケット２０の基部受止面２１からの高さは５〜１５［ｍｍ］が好ましい。
【００４８】
ピン係止壁５２０，５３０は、ランプ軸Ｘ方向に厚みを有する円弧状の壁体であって、互いに対向するように筒状部５１０の内周面５１１に沿って配置されている。当該ピン係止壁５２０，５３０は、挿入操作時に口金４００の対向面４１１が当接される口金当接面５２１，５３１を有し、当該口金当接面５２１，５３１でソケット２０の基部受止面２１が構成される。
【００４９】
ソケット２０の基部受止面２１は、ランプ挿着時に口金４００の口金基部４１０を受け止め、片口金ランプ１０のランプ軸Ｘ方向の位置を決める基準となる面であり、ソケット軸Ｙを中心とする回転面になっている。また、基部受止面２１はランプ軸Ｘと直交する平面であって、当該基部受止面２１に対向面を合わせることでランプ軸Ｘが適正な傾きで安定する。なお、ソケット２０の基部受止面２１は、対向面４１１に応じた形状であれば、平面に限らず、推面、球面、回転楕円面などでも良い。
【００５０】
ピン係止壁５２０，５３０の口金当接面５２１，５３１とは反対側の面は、その一部の領域に軸部支持壁５４０，５５０が延設されており、前記軸部支持壁５４０，５５０が延設されていない残りの領域がピン係止面５２２，５３２となっている。ピン係止面５２２，５３２は、係合溝５０６，５０７の基部受止面２１側の面でもある。
ピン係止面５２２，５３２は、基部受止面２１に対して端子ピン４５０，４６０が係合溝５０６，５０７に押入される方向に向けて前記基部受止面２１との距離が離れるように傾斜している。すなわち、ピン係止壁５２０，５３０の肉厚が、端子ピン４５０，４６０が係合溝５０６，５０７に押入される方向に向けて徐々に厚くなっている。なお、ピン係止面５２２，５３２の軸部支持壁５４０，５５０から遠い側の端縁５２３，５３３（係合溝５０６，５０７における端子ピン４５０，４６０が押入される入口）では、前記ピン係止面５２２，５３２と口金当接面５２１，５３１とが繋がっている。すなわち、前記端縁５２３，５３３の肉厚が殆どなくなっている。
【００５１】
ピン係止面５２２，５３２の傾斜の角度は、２段階に変化しており、端縁５２３，５３３側に位置する第１の傾斜面５２４，５３４は基部受止面２１に対して３０［°］の角度で傾斜し、軸部支持壁５４０，５５０側に位置する第２の傾斜面５２５，５３５は前記基部受止面２１に対して１〜１０［°］の角度で傾斜している。
第１の傾斜面５２４，５３４の傾きによって、係合溝５０６，５０７における端子ピン４５０，４６０が押入される入口付近では、前記係合溝５０６，５０７における基部受止面２１と直交する方向（ソケット軸Ｙ方向）の幅が前記入口に近づくほど前記基部受止面２１側に広くなっている。
【００５２】
第２傾斜面５２５，５３５における軸部支持壁５４０，５５０側であり、ランプ挿着後に端子ピン４５０，４６０が位置する領域には、前記端子ピン４５０，４６０が嵌合する嵌合凹部５２６，５３６が設けられている。図２に示すように、ピン係止壁５２０，５３０の肉厚（基部受止面２１とピン係止面５２２，５３２との距離）をＨとし、口金基部４１０と端子ピン４５０，４６０との距離をＩとしたとき、ピン係止壁５２０，５３０における嵌合凹部５２６，５３６付近では前記肉厚Ｈが最も厚く、距離Ｉよりも僅かに厚い。一方、ピン係止壁５２０，５３０における嵌合凹部５２６，５３６では肉厚Ｈは距離Ｉよりも僅かに薄い。したがって、回転操作時、端子ピン４５０，４６０は、当該端子ピン４５０，４６０の弾性により最も肉厚Ｈの厚い部分を乗り越え、嵌合凹部５２６，５３６に嵌り込む。
【００５３】
上記のような構成にすることによって、ランプ挿着性が向上する。具体的には、第１傾斜面５２４，５３４が形成されているため、端子ピン４５０，４６０を係合溝５０６，５０７に押入し易い。また、第２傾斜面５２５，５３５が形成されているため、口金４００とソケット２０との回転嵌合性が向上する。さらに、嵌合凹部５２６，５３６が設けられているため、ランプ挿着後に端子ピン４５０，４６０が位置ずれし難く、片口金ランプ１０が落下し難い。
【００５４】
なお、ピン係止面５２２，５３２の傾斜の角度は上記に限定されない。但し、第１の傾斜面５２４，５３４の傾斜の角度は、端子ピン４５０，４６０を係合溝５０６，５０７に押入し易くするために２０〜６０［°］であることが好ましい。また、第２の傾斜面５２５，５３５の傾斜の角度は、回転嵌合性を良好にするために１〜１５［°］であることが好ましい。
【００５５】
また、本実施の形態に係る端子ピン４５０，４６０は弾性を有するため、距離Ｉよりも肉厚Ｈの方が僅かに厚い構成とすることが可能である。その場合も、肉厚Ｈは、端子ピン４５０，４６０が係合溝５０６，５０７に押入される方向に向けて徐々に厚くなっていることが好ましい。端子ピン４５０，４６０が弾性を有さない場合は、肉厚Ｈの最も厚い部分は距離Ｉに近似するか若しくはその距離Ｉよりも僅かに薄いことが、回転操作性の観点から好ましい。
【００５６】
さらに、ピン係止壁５２０，５３０の肉厚Ｈは、端子ピン４５０，４６０が係合溝５０６，５０７に押入される方向に向けて徐々に厚くなることが好ましいが、ピン係止面５２２，５３２を概ねランプ軸Ｘに直交する平面として、前記肉厚Ｈを均一にしても良い。
図７に戻って、ソケット２０の基部受止面２１は、片口金ランプ１０をソケット２０に挿着するための挿着孔５０２を有し、当該挿着孔５０２は、軸部４４０を受け入れる軸部挿入部５０３と、端子ピン４５０、４６０を受け入れるピン挿入部５０４，５０５とからなる。そして、挿着孔５０２の側方には一対の係合溝５０６，５０７が延設されている。筒状部５１０と、ピン係止壁５２０，５３０と、軸部支持壁５４０，５５０とで囲まれた空間が、挿着孔５０２及び一対の係合溝５０６，５０７となる。なお、本実施形態では、挿着孔として、その内部に係合溝が設けられた形態を示したが、ソケットに片口金ランプが固定できる形態であれば、係合溝は必ずしも設けられる必要はない。
【００５７】
軸部挿入部５０３は、軸部４４０の形状に合わせた略円柱形状であって、挿入された軸部４４０のガタツキを防止しており、片口金ランプ１０のランプ軸Ｘがソケット２０のソケット軸Ｙに対して大きくぶれないようになっている。なお、軸部挿入部５０３の径は、軸部４４０を挿入し易く、且つ、前記軸部４４０のガタツキを防止できるように、前記軸部４４０の径よりも０．１〜０．８［ｍｍ］大径であることが好ましい。なお、ピン係止壁５２０，５３０の互いに対向する端縁部には、テーパ面５２７，５３７が形成されており、軸部挿入部５０３に軸部４４０を挿入し易くなっている。
【００５８】
図８は、ソケットを示す平面図である。図８に示すように、ピン挿入部５０４，５０５は、軸部挿入部５０３を挟んで両側に延設されており、片口金ランプ１０の回転に伴う端子ピン４５０、４６０の回転方向に沿って前記端子ピン４５０、４６０よりも幅が広くなっている。この構成により、挿入操作時に端子ピン４５０，４６０をピン挿入部５０４，５０５に挿入し易い。
【００５９】
図８（ａ）に示すように、ソケット２０の平面視において、ソケット軸Ｙと直交し、且つ、ピン挿入部５０４，５０５を対称に配置分断する直線を第１基軸とし、ソケット軸Ｙ及び第１基軸に直交する直線を第２基軸としたときに、ピン挿入部５０４，５０５は、第２基軸に対向して位置する一対の側辺５０４ａ，５０４ｂ，５０５ａ，５０５ｂを有する。また、側辺５０４ａ，５０４ｂ，５０５ａ，５０５ｂ上を通る直線と第２基軸とが成す角度［°］θが少なくとも０＜θ≦６０の関係を満たし、かつ図８（ｂ）に示すように、ピン挿入部５０４の側辺５０４ａを通る直線をラインａ、ピン挿入部５０５の側辺５０５ａを通る直線をラインａ’とした場合、前記ラインａと前記ラインａ’は略平行、かつソケット軸Ｙに対向して存在する。ここでさらに、ラインａとラインａ’の垂直距離Ｊが端子ピンの長さＣに対して０．５＜Ｊ／Ｃ＜２．０、の関係を満たす場合は、より端子ピン４５０，４６０をピン挿入部５０４，５０５に挿入し易いので好ましい。なお、図示しないが、ピン挿入部５０４の側辺５０４ｂを通る直線をラインａ、ピン挿入部５０５の側辺５０５ｂを通る直線をラインａ’としたときも同様である。
【００６０】
また、例えば側辺５０４ａ，５０４ｂ同士、もしくは側辺５０５ａ，５０５ｂ同士が、ソケットの中心軸方向に向かって広がる様に、第２基軸と成す角度θを設けられている場合もより挿入しやすい。
図７に戻って、係合溝５０６，５０７は、ランプ軸Ｘ方向の寸法が、端子ピン４５０，４６０が係合溝５０６，５０７に押入される方向に向けて小さくなっている。これは、端子ピン４５０，４６０が係合溝５０６，５０７に押入される方向に向けてピン係止壁５２０，５３０の肉厚Ｈが徐々に厚くなっているからである。
【００６１】
軸部支持壁５４０，５５０は、軸部挿入部５０３を挟んで互いに対向するように配置され、互いに対向し軸部４４０の外周面と略同一の曲率半径の有する側面５４１，５５１によって前記軸部挿入部５０３に挿入された軸部４４０を支持する。側面５４１，５５１は、軸部挿入部５０３の外郭の一部を構成し、ランプ挿着時に軸部４４０をガイドし、挿入操作性及び回転操作性を向上させる補助する役割と、端子ピン４５０，４６０の回転を止める終端の役割とを担う。また、ランプ挿着後はランプ軸Ｘの傾きを抑制する役割を担う。
【００６２】
軸部支持壁５４０，５５０は、ピン係止壁５２０，５３０の基部受止面２１とは反対側に、筒状部５１０の内周面に沿って、ランプ軸Ｘを中心とする回転角度１１０［°］の幅で延設されている。なお、軸部支持壁５４０，５５０の前記回転角度は１０°〜１３５°であることが好ましい。回転角度が１０°未満では異極側のソケット接続端子との距離が近接し過ぎ、１３５°を超えると端子ピンとピン係止壁５２０，５３０との係合度合いが少なくなり過ぎる。
【００６３】
ネジ取付部５６０，５７０は、略円筒形状であって内部がネジ孔５６１，５７１となっており、ソケット２０を照明器具３０などに取り付ける際は、当該ネジ孔５６１，５７１を利用してネジ止めされる。
接触子５８０，５９０は、導電性材料からなる弾性力を有する板ばね形状であって、係合溝５０６，５０７内に筒状部５１０の内周面５１１に沿って配置され、ランプ挿入後に端子ピン４５０，４６０の先端４５１，４６１と接触導通し、発光管１００に電流を供給する。
【００６４】
図９は、端子ピンと接触子との係合形態を説明するための図である。接触子５８０，５９０は、当該接触子５８０，５９０の弾性力により変位する山形の凸部５８１，５９１を有し、端子ピン４５０，４６０が係合自在となっている。図９（ａ）に示すように、端子ピン４５０，４６０の先端４５１，４６１間の最大距離Ｆは、接触子５８０，５９０の凸部５８１，５９１間の最短距離Ｋよりも大きい。したがって、回転操作において、ランプ軸Ｘを中心として片口金ランプ１０を回転させることで、端子ピン４５０，４６０と接触子５８０，５９０とが接触導通され、回転操作後に前記端子ピン４５０，４６０が係止される。
【００６５】
具体的には、まず、図９（ａ）に示すように、挿入操作により、軸部４４０が軸部挿入部５０３に挿入され、端子ピン４５０，４６０がピン挿入部５０４，５０５に挿入される。
次に、回転操作により、図９（ｂ）に示すように、ランプ軸Ｘを中心に軸部４４０を回転（図面では左回転）させると、端子ピン４５０，４６０は、回転して係合溝５０６，５０７に押入させ、先端４５１，４６１が凸部５８１，５９１と接触して、接触子５８０，５９０を弾性変形させ前記凸部５８１，５９１を変位させる。
【００６６】
さらに、ランプ軸Ｘを中心に軸部４４０を回転させると、図９（ｃ）に示すように、端子ピン４５０，４６０は凸部５８１，５９１を乗り越え、係合溝５０６，５０７の奥へとさらに入り込む。すると、凸部５８１，５９１は、接触子５８０，５９０の復元力によって元の位置に戻ろうとし、端子ピン４５０，４６０を軸部支持壁５４０，５５０に押し付ける。これにより、端子ピン４５０，４６０は嵌合凹部５２６，５３６内に位置決めされる。
【００６７】
端子ピン４５０，４６０が、接触子５８０，５９０の凸部５８１，５９１を乗り越える際に感じる手ごたえによって、片口金ランプ１０を挿着する作業者は、挿着が完了したことを確認できる。なお、接触子５８０，５９０の弾性を補助するために、筒状部５１０の内周面５１１と接触子５８０，５９０との間にスプリングなどの他の弾性体を配置しても良い。
【００６８】
端子ピン４５０，４６０の先端がＲ形状であるため、接触子５８０，５９０と端子ピン４５０，４６０とは面接触し接触面積が大きい。なお、接触子５８０，５９０と端子ピン４５０，４６０とが点接触する構成であっても良いが、電気的接続をより安定させるためには線接触又は面接触することが好ましい。
また、接触子５８０，５９０は、ピン係止壁５２０，５３０と端子ピン４５０，４６０間に介在していてもよい。例えば、接触子５８０，５９０は、ピン係止面５２２，５３２に沿って配置され、端子ピン４５０，４６０における対向面４１１と対向する面４５２，４６２と接触導通する構成であってもよいし、凸部５８１，５９１と同様の機能を持たせた凸部を設けても良い。
【００６９】
＜変形例＞
以上、本発明に係る片口金ランプ及びランプユニットを実施の形態に基づいて具体的に説明してきたが、本発明の内容は上記の実施の形態に限定されない。例えば、以下に説明するような変形例が考えられる。
（口金）
口金の軸部は、例えば以下に説明するような形状にすることが考えられる。
【００７０】
図１０は、変形例に係る軸部及び端子ピンを示す図であって、（ａ）から（ｄ）はいずれも縦断面図である。なお、図１０示す端子ピンはいずれも上記実施の形態に係る端子ピン４５０，４６０と同じものであり、底面視における軸部及び端子ピンの形状は、いずれも図４（ａ）に示す軸部４４０及び端子ピン４５０，４６０の形状と同じである。
上記実施の形態に係る軸部４４０の凹部４４７は底面が平坦であったが、図１０（ａ）に示すように、軸部６１０の先端面６１１の中央に設けられた凹部６１２の底面６１３は、周縁がＲ形状になっていても良い。また、図１０（ｂ）に示すように、軸部６２０の先端面６２１の中央に設けられた凹部６２２が回転放物面体形状であって良く、図１０（ｃ）に示すように、軸部６３０の先端面６３１の中央に設けられた凹部６３２が円錐体形状であっても良く、図１０（ｄ）に示すように、軸部６４０の先端面６４１の中央に設けられた凹部６４２が円錐台形状であっても良い。なお、図１０（ｂ）から（ｄ）に示すような浅い凹部６２２，６３２、６４２であっても、深さに応じた絶縁効果が得られる。
【００７１】
図１１は、変形例に係る軸部及び端子ピンを示す図であって、（ａ）は底面図、（ｂ）は縦断面図である。図１２も、変形例に係る軸部及び端子ピンを示す図であって、（ａ）及び（ｂ）は縦断面図である。なお、図１１及び図１２に示す端子ピンはいずれも上記実施の形態に係る端子ピン４５０，４６０と同一であり、図１２に示す軸部及び端子ピンの底面視における形状は、いずれも図１１（ａ）に示す軸部６５０及び端子ピン４５０，４６０の形状と同じである。
【００７２】
図１１に示すように、軸部６５０の先端面６５１の中央に円環形状の凹部６５２が形成されていても良い。なお、凹部６５２の底面６５３は平坦である。また、図１２（ａ）に示すように、軸部６６０の先端面６６１の中央に設けられた凹部６６２の底面６６３はＲ形状であっても良い。さらに、図１２（ｂ）に示すように、軸部６７０の先端面６７１の中央に設けられた凹部６７２は、Ｒ形状の底面６７３の中央に半球形状の隆起部６７４を有する形状であっても良い。これら形状であっても、端子ピン４５０，４６０間の最短沿面距離を長くすることができる。
【００７３】
図１３は、変形例に係る軸部及び端子ピンを示す図であって、（ａ）は底面図、（ｂ）は縦断面図である。図１４も、変形例に係る軸部及び端子ピンを示す図であって、（ａ）及び（ｂ）は縦断面図である。なお、図１３及び図１４に示す端子ピンはいずれも上記実施の形態に係る端子ピン４５０，４６０と同一であり、図１４に示す軸部及び端子ピンの底面視における形状は、いずれも図１３（ａ）に示す軸部６８０及び端子ピン４５０，４６０の形状と同じである。
【００７４】
図１３に示すように、軸部６８０の先端面６８１の中央に当該先端面６８１よりも小径の円柱形状の凸部６８２が設けられた形状であっても良い。また、図１４（ａ）に示すように、軸部６９０の先端面６９１の中央に設けられた当該先端面６９１よりも小径の円柱形状の凸部６９２が面取りされていても良い。さらに、図１４（ｂ）に示すように、軸部７００の先端面７０１の中央に設けられた凸部７０２が回転放物面体形状であっても良い。これら形状のように凹部ではなく凸部であっても、端子ピン４５０，４６０間の最短沿面距離を長くすることができる。
【００７５】
図１５は、変形例に係る軸部及び端子ピンを示す図であって、（ａ）は底面図、（ｂ）は縦断面図である。図１６も、変形例に係る軸部及び端子ピンを示す図であって、（ａ）及び（ｂ）は縦断面図である。なお、図１５及び図１６に示す端子ピンはいずれも上記実施の形態に係る端子ピン４５０，４６０と同一であり、図１６に示す軸部及び端子ピンの底面視における形状は、いずれも図１５（ａ）に示す軸部７１０及び端子ピン４５０，４６０の形状と同じである。
【００７６】
図１５に示すように、軸部７１０の先端面７１１に前記軸部７１０の外径と同じ外径である円環形状の凸部７１２が設けられた形状であっても良い。なお、凸部７１２の外周縁は面取りされておりテーパ面７１３を有する。テーパー面の設計としてはＣ０．３〜１．０が好ましい。上記のような凸部７１２を軸部７１０に設けた場合は、図４（ｂ）に示す本実施の形態に係る軸部４４０のように先端面４４６の中央に凹部４４７を形成した場合と似た形状になるが、変形例に係る軸部７１０ではリード孔７１４，７１５の先端面７１１側が塞がっている点で大きく相違する。
【００７７】
また、図１６（ａ）に示すように、軸部７２０の先端面７２１に円環形状且つ前記軸部７２０と同じ外径の凸部７２２が設けられており、前記凸部７２２の内周縁及び外周縁がいずれも面取りされた形状であっても良い。なお、リード孔７２３，７２４の先端面７２１側は塞がっている。さらに、図１６（ｂ）に示すように、軸部７３０の先端面７３１に円環形状且つ前記軸部７３０と同じ外径の凸部７３２が設けられており、前記凸部７３２の内周側が中心に向けて裾広がり形状になっていても良い。なお、リード孔７３３，７３４の先端面７３１側は塞がっている。
【００７８】
図１７は、変形例に係る軸部及び端子ピンを示す図であって、（ａ）から（ｃ）はいずれも底面図である。図１８も、変形例に係る軸部及び端子ピンを示す図であって、（ａ）及び（ｂ）は底面図である。なお、図１７及び図１８に示す端子ピンはいずれも上記実施の形態に係る端子ピン４５０，４６０と同一である。
図１７に示すように、軸部７４０，７５０，７６０の先端が２分割された一対の凸部７４１，７４２，７５１，７５２，７６１，７６２で構成されていても良い。さらに、図１８に示すように、軸部７７０，７８０の先端を構成する２分割された一対の凸部７７１，７７２，７８１，７８２間に端子ピン４５０，４６０が配置された構成であっても良い。
【００７９】
図１９は、変形例に係る軸部及び端子ピンを示す図であって、（ａ）は底面図、（ｂ）は（ａ）におけるＭ−Ｍ線に沿った縦断面図である。なお、図１９に示す端子ピンはいずれも上記実施の形態に係る端子ピン４５０，４６０と同一である。図１９に示すように、軸部７９０の先端面７９１における端子ピン４５０，４６０相当位置にピン孔７９２，７９３と連通するスリット７９４，７９５が形成されていても良い。この構成であれば、リード孔７９６，７９７に挿入した外部リード線（不図示）と端子ピン４５０，４６０とをスリット７９４，７９５の隙間から溶接などで接合することができる。
【００８０】
（端子ピン）
端子ピンの形状は上記実施の形態に係る端子ピン４５０，４６０の形状に限定されず、例えば以下に説明するような形状が考えられる。
図２０は、変形例１に係る端子ピンを示す図であり、（ａ）は斜視図、（ｂ）は平面図、（ｃ）は側面図である。図２１は、変形例１に係る口金を示す図であって、（ａ）は斜視図、（ｂ）は側面図である。
【００８１】
図２０に示すように、変形例１に係る端子ピン８００は、略円柱形状の外観を有し、径Ｎが２．３［ｍｍ］、長さＯが５．０［ｍｍ］である。図２１に示すように、端子ピン８００は、口金８１０の軸部８１１に設けられた略円形のピン孔８１２に挿入されており、図２０に示すように、前記軸部８１１に挿入された状態において先端８０１となる長手方向一端部がＲ形状であり、前記先端８０１の端面は、図２０（ｂ）に示すように、平面視において円弧形状であり、図２０（ｃ）に示すように、側面視において直線形状である。このように先端８０１をＲ形状とすることで、回転操作時における端子ピン８００とソケット２０の接触子５８０，５９０との接触抵抗が低減する。
【００８２】
また、端子ピン８００は、先端８０１が面取りされており、テーパ面８０２，８０３を有する。この構成により、ソケット２０の接触子５８０，５９０との接触抵抗がより低減し、ソケット２０のピン係止面５２２，５３２との接触抵抗も低減する。
さらに、端子ピン８００は、先端８０１とは長手方向反対側の基端８０４に面取りされたテーパ面８０５を有し、前記端子ピン８００を軸部８１１のピン孔８１２に挿入し易くなっている。
【００８３】
加えて、端子ピン８００には、基端８０４から長手方向に沿って幅Ｐが０．３［ｍｍ］のスリット８０６が形成されており、当該スリット８０６上に外部リード線１１１，１１２を嵌め込むための略円形の孔部８０７が形成されている。孔部８０７の径Ｑは０．５［ｍｍ］であって、外部リード線１１１，１１２の径よりも僅かに狭くなっており、前記外部リード線１１１，１１２をリード孔４４８，４４９に挿入した状態で端子ピン８００をピン孔８１２に挿入すれば、前記スリット８０６によって孔部８０７の径が広がり当該孔部８０７内に外部リード線１１１，１１２が挟持される。また、孔部８０７の径Ｑが外部リード線の径より僅かに広くなっており、はんだ付け，銀ロウ付け，プラズマ溶接，抵抗溶接，カシメ，ハトメ部材等により接続されても良い。
【００８４】
図２２は、変形例２に係る端子ピンを示す図であり、図２２（ａ）は底面側から見た斜視図、（ｂ）は平面図、（ｃ）は側面図である。図２２に示すように、変形例２に係る端子ピン８２０は、並べて配された一対のストレート部８２１，８２２とそれらストレート部８２１，８２２の一端部を連結するコーナー部８２３とからなる平面視略Ｕ形状の外観を有する。
【００８５】
端子ピン８２０は、例えば、本実施の形態に係る端子ピン４５０，４６０の代わりに軸部４４０のピン孔４４２，４４３に挿入して使用可能であり、各ストレート部８２１，８２２の連結されていない側の端部である自由端８２４，８２５側がピン孔４４２，４４３に挿入される。
図２２（ｂ）に示すような、端子ピン８２０の長手方向の長さα（コーナー部８２３のコーナー外側端縁８２６からストレート部８２１，８２２の自由端８２４，８２５の端縁までの前記ストレート部８２１，８２２の長手方向に沿った長さ）は、５．０［ｍｍ］である。また、端子ピン８２０の短手方向の長さは、コーナー部８２３側が小さく、ストレート部８２１，８２２の自由端８２４，８２５側が大きくなっており、前記自由端８２４，８２５における短手方向の長さβは３．５［ｍｍ］であって、この長さβはピン孔４４２，４４３の幅よりも大きい。また、ストレート部８２１，８２２間の隙間８２７は、自由端８２４，８２５における幅γが１．１１［ｍｍ］である。図２２（ｃ）に示すように、端子ピン８２０の厚みδは１．５［ｍｍ］である。
【００８６】
端子ピン８２０は、コーナー部８２３で構成されるバネ機構によって、ストレート部８２１，８２２の自由端８２４，８２５同士が近づくように弾性変形可能である。端子ピン８２０をピン孔４４２，４４３に挿入する際には、自由端８２４，８２５間の隙間８２７を狭くなるよう変形させる。したがって、長さβがピン孔４４２，４４３の幅より大きくても端子ピン８２０を前記ピン孔４４２，４４３に挿入することができ、挿入した後は、バネ機構による元の形状に戻ろうとする作用が働いて前記端子ピン８２０がピン孔４４２，４４３から抜けにくい。
【００８７】
さらに、各ストレート部８２１，８２２には、隙間８２７とは反対側に突出部８２８，８２９が形成されており、これら突出部８２８，８２９が形成された部分では端子ピン８２０の短手方向の長さが大きくなっているため、これら突出部８２８，８２９をピン孔４４２，４４３内に押し込むと、前記端子ピン８２０にはより強いバネ圧が生じ、より前記端子ピン８２０が前記ピン孔４４２，４４３から抜けにくい。
【００８８】
端子ピン８２０をピン孔４４２，４４３に挿入した状態において、コーナー部８２３が前記端子ピン８２０の先端となる。したがって、端子ピン８２０の先端はＲ形状である。具体的には、端子ピン８２０の先端は、図２２（ｂ）に示すように平面視において円弧形状であり、図２２（ｃ）に示すように側面視において直線形状である。このように先端をＲ形状とすることで、Ｒがない場合と比して、回転操作時における端子ピン８２０とソケット２０の接触子５８０，５９０との接触抵抗を低減する効果が得られる。
【００８９】
端子ピン８２０は、ピン孔４４２，４４３に挿入された状態において対向面４１１と対向する面８３０側、及び、当該対向する面８３０と反対側の面８３１側に、それぞれＣ０．２の面取り処理が施されており、それぞれの面８３０，８３１の外周にテーパ面８３２，８３３を有する。この構成により、ソケット２０のピン係止面５２２，５３２等との接触面積が小さくなり、回転操作性が向上する。
【００９０】
ストレート部８２１，８２２は、自由端８２４，８２５側では隙間８２７が広く、コーナー部８２３側では前記隙間８２７が狭くなるように配置されている。隙間８２７内には外部リード線１１１，１１２を嵌め込むための略円形の孔部８３４が形成されている。
端子ピン８２０をピン孔４４２，４４３に挿入した際には、ストレート部８２１，８２２に形成された突出部８２８，８２９が前記ピン孔４４２，４４３の内壁に当たって前記ストレート部８２１，８２２同士が近づき、これにより前記孔部８３２の径が小さくなって外部リード線１１１，１１２がより強固に前記孔部８３２内で挟持される。
【００９１】
孔部８３２は上下開口の内側にそれぞれＣ０．３の面取り処理が施されており、それら開口内周にテーパ面８３５，８３６を有する。したがって、先に端子ピン８２０をピン孔４４２，４４３に挿入し、あとから外部リード線１１１，１１２を前記端子ピン８２０の孔部８３４に差し込む場合には、前記外部リード線１１１，１１２が差し込み易い。
また、端子ピンをピン孔４４２、４４３に固定する方法としては、ピン孔４４２，４４３に端子ピン８２０を挿入した状態で、孔部８３４および口金のリード孔４４８、４４９に対しハトメ部材を挿入してからかしめることにより、端子ピンを固定する方法を採用してもよい。
【００９２】
端子ピンは、以上に説明した変形例１及び変形例２以外に、例えばムクの板状又は箱状でも良く、中空の円柱形状、板状又は箱状でも良い。また、端子ピンの先端が半球状であっても良く、この場合も、ソケット２０の接触子５８０，５９０との接触抵抗がより低減し挿入性が改善される。
（ソケット）
ソケットの形状は上記実施の形態に係る形状に限定されず、例えば、図２に示すように、筒状部５１０における口金４００が挿入される側の端部５１３とは反対側の端部５１５に仮想線で示す底壁５１６を設けた形状でも良い。この場合において、底壁５１６の内側面５１７からピン係止壁５２０，５３０のピン係止面５２２，５３２までのランプ軸Ｘ方向の距離をＳとし、軸部４４０の先端面４４６から端子ピン４５０，４６０の対向面４１１までの距離をＴとする。ランプ挿着後に端子ピン４５０，４６０が固定される位置において、距離Ｔが距離Ｓよりも僅かに大きければ、前記端子ピン４５０，４６０の弾性によって前記端子ピン４５０，４６０がピン係止面５２２，５３２に押し当てられ、片口金ランプ１０がソケット２０に安定に保持される。特に、距離Ｔと距離Ｓとが、０．９≦Ｓ／Ｔ＜１の関係を満たす場合は、片口金ランプ１０の挿着性も良好である。
【００９３】
（ランプ落下防止機能について）
片口金ランプ１０をソケット２０に装着する際、端子ピン４５０，４６０がピン挿入部５０４，５０５に、軸部４４０が軸部挿入部５０３に挿入され、ランプ軸Ｘを中心に片口金ランプ１０を回転させることによってソケット２０と係合される。このとき、図９（ｃ）に示すように、端子ピン４５０，４６０は凸部５８１，５９１を乗り越え、係合溝５０６，５０７の奥へとさらに入り込むことによって、自然に片口金ランプ１０が元の挿入場所に戻ることなく片口金ランプ１０を安定に取り付けられる構造になっている。しかしながら、端子ピン４５０，４６０が凸部５８１，５９１を乗り越えることなく中途半端な状態で不完全装着されてしまった場合、振動等により片口金ランプ１０は逆回転し落下してしまう可能性が想定される。この課題に対しては、たとえば、ピン挿入部５０４，５０５におけるソケット筒状部５１０の内周面５１１に凸状の弾性体（板材もしくは線材）を設けておき、端子ピン４５０，４６０が前記凸状の弾性体を乗り越えないと片口金ランプ１０を脱着できない構造としておくと良い。これにより万が一片口金ランプ１０が不完全装着され、振動等により端子ピン４５０，４６０がピン係止面５２２，５３２から外れた場合においても、端子ピン４５０，４６０が前記凸状の弾性体に引っ掛かり片口金ランプ１０の落下を防止することが可能となる。他の手段としては、片口金ランプ１０の外管３００の一部が収容されるソケット筒状部５１０と外管３００の間において落下防止手段を講じることもできる。
【産業上の利用可能性】
【００９４】
本発明に係る片口金ランプは、照明一般に広く利用できる。
【符号の説明】
【００９５】
１  ランプユニット
１０  片口金ランプ
１１  ランプ本体
２０  ソケット
２１  基部受止面
１００  光源部（発光管）
３００  外管
３０１  開口側端部
４００  口金
４１０  口金基部
４１３  外管取付面
４４０  軸部
４５０，４６０  端子ピン
４５１，４６１  端子ピンの先端
５０２  挿着孔
５０６，５０７  係合溝
５２６，５３６  嵌合凹部
５８０，５９０  接触子
５８１，５９１  凸部
【図１】
2011100688.tif 000003
【図２】
2011100688.tif 000004
【図３】
2011100688.tif 000005
【図４】
2011100688.tif 000006
【図５】
2011100688.tif 000007
【図６】
2011100688.tif 000008
【図７】
2011100688.tif 000009
【図８】
2011100688.tif 000010
【図９】
2011100688.tif 000011
【図１０】
2011100688.tif 000012
【図１１】
2011100688.tif 000013
【図１２】
2011100688.tif 000014
【図１３】
2011100688.tif 000015
【図１４】
2011100688.tif 000016
【図１５】
2011100688.tif 000017
【図１６】
2011100688.tif 000018
【図１７】
2011100688.tif 000019
【図１８】
2011100688.tif 000020
【図１９】
2011100688.tif 000021
【図２０】
2011100688.tif 000022
【図２１】
2011100688.tif 000023
【図２２】
2011100688.tif 000024
【図２３】
2011100688.tif 000025